【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
サービングセルの時分割複信（ＴＤＤ）構成の複数のサブフレームをアンカーサブフレームのセットおよび非アンカーサブフレームのセットにグループ化することと、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルすることと、
を備える、ワイヤレス通信の方法。
【請求項２】
サブフレームをグループ化することは、
前記サービングセルおよび隣接セルの対応するサブフレームがダウンリンクサブフレームであるとき、前記サービングセルの１つ又は複数のダウンリンクサブフレームをアンカーサブフレームと指定すること、
を備える、請求項１に記載の方法。
【請求項３】
サブフレームをグループ化することは、
前記サービングセルおよび前記隣接セルの対応するサブフレームがスペシャルサブフレームであるとき、前記サービングセルの１つ又は複数のスペシャルサブフレームをアンカーサブフレームと指定すること、
を備える、請求項１に記載の方法。
【請求項４】
サブフレームをグループ化することは、
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定すること、
を備える、請求項１に記載の方法。
【請求項５】
サブフレームをグループ化することは、
前記ダウンリンク方向に固定された前記サービングセルの１つ又は複数のダウンリンクサブフレームを、アンカーサブフレームと指定すること、
を備える、請求項１に記載の方法。
【請求項６】
サブフレームをグループ化することは、
前記ダウンリンク方向に固定されていない前記サービングセルの１つ又は複数のダウンリンクサブフレームを、非アンカーサブフレームと指定すること、
を備える、請求項１に記載の方法。
【請求項７】
バンドルすることは、
前記アンカーサブフレームについての前記ＡＣＫおよび／またはＮＡＣＫを前記サービングセルの第１のアップリンクサブフレームにバンドルすることと、
前記非アンカーサブフレームについての前記ＡＣＫおよび／またはＮＡＣＫを前記サービングセルの第２のアップリンクサブフレームにバンドルすることと、
をさらに備える、請求項１に記載の方法。
【請求項８】
前記サービングセルに隣接する隣接セルの前記ＴＤＤ構成を取得することをさらに備える、請求項１に記載の方法。
【請求項９】
前記アンカーサブフレームの前記バンドルされたＡＣＫおよび／またはＮＡＣＫを前記非アンカーサブフレームの前記ＡＣＫおよび／またはＮＡＣＫと多重化することをさらに備える、請求項１に記載の方法。
【請求項１０】
サービングセルの時分割複信（ＴＤＤ）構成の複数のサブフレームをアンカーサブフレームのセットおよび非アンカーサブフレームのセットにグループ化するための手段と、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルするための手段と、
を備える、ワイヤレス通信のための装置。
【請求項１１】
サブフレームをグループ化するための前記手段は、前記サービングセルおよび隣接セルの対応するサブフレームがダウンリンクサブフレームであるとき、前記サービングセルの１つ又は複数のダウンリンクサブフレームをアンカーサブフレームと指定するように構成される、請求項１０に記載の装置。
【請求項１２】
サブフレームをグループ化するための前記手段は、前記サービングセルおよび前記隣接セルの対応するサブフレームがスペシャルサブフレームであるとき、前記サービングセルの１つ又は複数のスペシャルサブフレームをアンカーサブフレームと指定するように構成される、請求項１０に記載の装置。
【請求項１３】
サブフレームをグループ化するための前記手段は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するように構成される、請求項１０に記載の装置。
【請求項１４】
サブフレームをグループ化するための前記手段は、ダウンリンク方向に固定された前記サービングセルの１つ又は複数のダウンリンクサブフレームを、アンカーサブフレームと指定するように構成される、請求項１０に記載の装置。
【請求項１５】
サービングセルの時分割複信（ＴＤＤ）構成の複数のサブフレームをアンカーサブフレームのセットおよび非アンカーサブフレームのセットにグループ化し、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルする、
ためのコードを備えるコンピュータ読取可能な媒体
を備える、コンピュータプログラム製品。
【手続補正２】
【補正対象書類名】明細書
【補正対象項目名】００６３
【補正方法】変更
【補正の内容】
【００６３】
[0074]  先の説明は、当業者に、本明細書において説明された様々な態様の実現を可能にさせるために提供されている。これらの態様に対する様々な変更は、当業者に容易に理解され、本明細書において定義された一般的な原理は、他の態様に適用され得る。したがって、特許請求の範囲は、明細書に示された態様に限定されることを意図するものではなく、特許請求の範囲における記載と一致する全範囲を付与されるべきものであり、単数形でのエレメントへの言及は、そうであるとの明確な記載がない限り、「ただ１つ」を意味することは意図せず、「１つ又は複数」を意味するものとする。そうでないとの明確な記載がない限り、「いくつかの、何らかの（some）」という用語は、１つ又は複数を意味する。当業者に周知の、または後に周知となる、この開示を通して説明された様々な態様のエレメントと構造的および機能的に同等な物はすべて、引用によって本明細書に明確に組み込まれ、特許請求の範囲に含まれることが意図される。さらに、本明細書におけるどの開示も、その開示が特許請求の範囲に明示的に記載されているか否かに関わらず、公に献呈されることを意図するものではない。どの特許請求の範囲のエレメントも、エレメントが「のための手段（means for）」というフレーズを使用して明確に記載されていない限り、ミーンズプラスファンクション（means plus function）として解釈されるべきではない。
以下に、本願出願の当初の特許請求の範囲に記載された発明を付記する。
［Ｃ１］
サービングセルの時分割複信（ＴＤＤ）構成の複数のサブフレームをアンカーサブフレームのセットおよび非アンカーサブフレームのセットにグループ化することと、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルすることと、
を備える、ワイヤレス通信の方法。
［Ｃ２］
サブフレームをグループ化することは、
前記サービングセルおよび隣接セルの対応するサブフレームがダウンリンクサブフレームであるとき、前記サービングセルの１つ又は複数のダウンリンクサブフレームをアンカーサブフレームと指定すること、
を備える、Ｃ１に記載の方法。
［Ｃ３］
サブフレームをグループ化することは、
前記サービングセルおよび前記隣接セルの対応するサブフレームがスペシャルサブフレームであるとき、前記サービングセルの１つ又は複数のスペシャルサブフレームをアンカーサブフレームと指定すること、
を備える、Ｃ１に記載の方法。
［Ｃ４］
サブフレームをグループ化することは、
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定すること、
を備える、Ｃ１に記載の方法。
［Ｃ５］
サブフレームをグループ化することは、
ダウンリンク方向に固定された前記サービングセルの１つ又は複数の前記ダウンリンクのサブフレームを、アンカーサブフレームと指定すること、
を備える、Ｃ１に記載の方法。
［Ｃ６］
サブフレームをグループ化することは、
ダウンリンク方向に固定されていない前記サービングセルの１つ又は複数の前記ダウンリンクのサブフレームを、非アンカーサブフレームと指定すること、
を備える、Ｃ１に記載の方法。
［Ｃ７］
バンドルすることは、
前記アンカーサブフレームについての前記ＡＣＫおよび／またはＮＡＣＫを前記サービングセルの第１のアップリンクサブフレームにバンドルすることと、
前記非アンカーサブフレームについての前記ＡＣＫおよび／またはＮＡＣＫを前記サービングセルの第２のアップリンクサブフレームにバンドルすることと、
をさらに備える、Ｃ１に記載の方法。
［Ｃ８］
前記サービングセルに隣接する隣接セルの前記ＴＤＤ構成を取得することをさらに備える、Ｃ１に記載の方法。
［Ｃ９］
前記アンカーサブフレームの前記バンドルされたＡＣＫおよび／またはＮＡＣＫを前記非アンカーサブフレームの前記ＡＣＫおよび／またはＮＡＣＫと多重化することをさらに備える、Ｃ１に記載の方法。
［Ｃ１０］
サービングセルの時分割複信（ＴＤＤ）構成の複数のサブフレームをアンカーサブフレームのセットおよび非アンカーサブフレームのセットにグループ化するための手段と、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルするための手段と、
を備える、ワイヤレス通信のための装置。
［Ｃ１１］
サブフレームをグループ化するための前記手段は、前記サービングセルおよび隣接セルの対応するサブフレームがダウンリンクサブフレームであるとき、前記サービングセルの１つ又は複数のダウンリンクサブフレームをアンカーサブフレームと指定するように構成される、Ｃ１０に記載の装置。
［Ｃ１２］
サブフレームをグループ化するための前記手段は、前記サービングセルおよび前記隣接セルの対応するサブフレームがスペシャルサブフレームであるとき、前記サービングセルの１つ又は複数のスペシャルサブフレームをアンカーサブフレームと指定するように構成される、Ｃ１０に記載の装置。
［Ｃ１３］
サブフレームをグループ化するための前記手段は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するように構成される、Ｃ１０に記載の装置。
［Ｃ１４］
サブフレームをグループ化するための前記手段は、ダウンリンク方向に固定された前記サービングセルの１つ又は複数の前記ダウンリンクのサブフレームを、アンカーサブフレームと指定するように構成される、Ｃ１０に記載の装置。
［Ｃ１５］
サブフレームをグループ化するための前記手段は、ダウンリンク方向に固定されていない前記サービングセルの１つ又は複数の前記ダウンリンクのサブフレームを、非アンカーサブフレームと指定するように構成される、Ｃ１０に記載の装置。
［Ｃ１６］
バンドルするための前記手段は、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ように構成される、Ｃ１０に記載の装置。
［Ｃ１７］
サービングセルの時分割複信（ＴＤＤ）構成の複数のサブフレームをアンカーサブフレームのセットおよび非アンカーサブフレームのセットにグループ化し、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルする、
ように構成された処理システム、
を備える、ワイヤレス通信のための装置。
［Ｃ１８］
前記プロセッサは、前記サービングセルおよび隣接セルの対応するサブフレームがダウンリンクサブフレームであるとき、前記サービングセルの１つ又は複数のダウンリンクサブフレームをアンカーサブフレームと指定するように構成される、Ｃ１７に記載の装置。
［Ｃ１９］
前記プロセッサは、前記サービングセルおよび前記隣接セルの対応するサブフレームがスペシャルサブフレームであるとき、前記サービングセルの１つ又は複数のスペシャルサブフレームをアンカーサブフレームと指定するように構成される、Ｃ１７に記載の装置。
［Ｃ２０］
前記プロセッサは、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するように構成される、Ｃ１７に記載の装置。
［Ｃ２１］
前記プロセッサは、ダウンリンク方向に固定された前記サービングセルの１つ又は複数の前記ダウンリンクのサブフレームを、アンカーサブフレームと指定するように構成される、Ｃ１７に記載の装置。
［Ｃ２２］
前記プロセッサは、ダウンリンク方向に固定されていない前記サービングセルの１つ又は複数の前記ダウンリンクのサブフレームを、非アンカーサブフレームと指定するように構成される、Ｃ１７に記載の装置。
［Ｃ２３］
前記プロセッサは、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ようにさらに構成される、Ｃ１７に記載の装置。
［Ｃ２４］
サービングセルの時分割複信（ＴＤＤ）構成の複数のサブフレームをアンカーサブフレームのセットおよび非アンカーサブフレームのセットにグループ化し、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルする、
のためのコードを備えるコンピュータ読取可能な媒体
を備える、コンピュータプログラム製品。
［Ｃ２５］
前記コンピュータ読取可能な媒体は、前記サービングセルおよび隣接セルの対応するサブフレームがダウンリンクサブフレームであるとき、前記サービングセルの１つ又は複数のダウンリンクサブフレームをアンカーサブフレームと指定するためのコードを備える、Ｃ２４に記載の製品。
［Ｃ２６］
前記コンピュータ読取可能な媒体は、前記サービングセルおよび前記隣接セルの対応するサブフレームがスペシャルサブフレームであるとき、前記サービングセルの１つ又は複数のスペシャルサブフレームをアンカーサブフレームと指定するためのコードを備える、Ｃ２４に記載の製品。
［Ｃ２７］
前記コンピュータ読取可能な媒体は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するためのコードを備える、Ｃ２４に記載の製品。
［Ｃ２８］
前記コンピュータ読取可能な媒体は、ダウンリンク方向に固定された前記サービングセルの１つ又は複数の前記ダウンリンクのサブフレームを、アンカーサブフレームと指定するためのコードを備える、Ｃ２４に記載の製品。
［Ｃ２９］
前記コンピュータ読取可能な媒体は、ダウンリンク方向に固定されていない前記サービングセルの１つ又は複数の前記ダウンリンクのサブフレームを、非アンカーサブフレームと指定するためのコードを備える、Ｃ２４に記載の製品。
［Ｃ３０］
前記コンピュータ読取可能な媒体は、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ためのコードを備える、Ｃ２４に記載の製品。